(57)【要約】【課題】  ドア部を開く過程において、孔の下端部分に衝突してしまい、ドア部の前面に傷が生じてしまうことを防止すると共に、前面パネルの製造コストを低減することができる電子機器を提供する。【解決手段】  孔を備える前面パネルと、前面パネルの後面に固着され内側に凹部を備える第１及び第２のフランジと、シャフトを備える第１及び第２の固定部材を後面の左右にそれぞれ固着し各シャフトが第１及び第２のフランジに軸支され回動するドア部と、バネ部と、第２のフランジの凹部との間に配設される弾性体とを備え、第１の固定部材４０のシャフトは、直線溝と、直線溝に連通し内側方向に傾斜した傾斜溝とを備え、バネ部は、一端が第１のフランジに固着され、他端に直線溝と傾斜溝との間を自在にスライドしドア部が孔を閉鎖したとき直線溝の側壁を内側に押圧し、ドア部が孔を開口したとき傾斜溝の側壁を内側に押圧する突起部を備える。【選択図】      図２
2008222186.tif 000002
【特許請求の範囲】
【請求項１】
電子回路と、
箱形であり前記電子回路を内部に固定する筐体と、
前記筐体の前面に固定され前後に貫通する孔を備える前面パネルと、
前記前面パネルの後面であって前記孔の左右にそれぞれ固着され内側にそれぞれ凹部を備える第１のフランジ及び第２のフランジと、
外側に水平方向に配設されたシャフトを備える第１の固定部材及び第２の固定部材を後面の左右部分にそれぞれ固着し当該第１の固定部材のシャフト及び当該第２の固定部材のシャフトが前記第１のフランジの凹部及び前記第２のフランジの凹部にそれぞれ軸支され回動することにより前記孔を開閉するドア部と、
前記第１の固定部材４０のシャフトに挿入されるバネ部と、
前記第２の固定部材のシャフトと前記第２のフランジの凹部との間に配設される弾性体とを備え、
前記第１の固定部材４０のシャフトは、表面の円周方向に沿って直線の溝を形成する直線溝と、当該直線溝の後端に連通し内側方向に傾斜した溝を形成する傾斜溝とを備え、
前記バネ部は、一端が前記第１のフランジに固着され、他端に前記直線溝と前記傾斜溝との間を自在にスライドし前記ドア部が前記孔を閉鎖したとき前記直線溝の側壁を内側に押圧し、前記ドア部が前記孔を開口したとき前記傾斜溝の側壁を内側に押圧する突起部を備えることを特徴とする電子機器。
【発明の詳細な説明】
【技術分野】
【０００１】
本発明は、オーディオ信号を増幅するオーディオ信号増幅装置や光ディスクを再生する再生装置等の電子機器に関する。
【背景技術】
【０００２】
従来の電子機器として、オーディオ信号増幅装置を例に挙げ説明する。
従来のオーディオ信号増幅装置としては、扉開閉装置を備え、扉を開くと当該扉の後方に配設されたオーディオ信号の増幅度を変化させるボリュームや操作キーから成る操作部が露出し、操作部の操作が可能となり、当該ドアを閉鎖すると、操作部に外部からの塵埃や水滴が付着することを防止する構成を有するものが知られている（例えば、非特許文献１参照。）。
【０００３】
図８は、従来のオーディオ信号増幅装置の一例を示す斜視図である。
オーディオ信号増幅装置１００は、筐体２、前面パネル３、増幅部７、操作部８、ドア部４００、図示しない入力部及び出力部を備える。
【０００４】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４００は、前面パネル３の後面に固定された後述するフランジにより軸支され、回動することによって、孔３０１を開閉する。
【０００５】
操作部８は、ドア部４００を回動させ、孔３０１を開口することにより露出する。操作部８は、複数の操作ボタン８０１及びボリュウム部８０２を備える。
【０００６】
オーディオ信号増幅装置１００は、図示しない導電ケーブルにより再生装置及びスピーカと接続されている。
【０００７】
再生装置は、光ディスクに記録されているオーディオ信号を再生する。オーディオ信号増幅装置１００の入力部は、再生装置から出力されたオーディオ信号を入力し増幅部７に出力する。
【０００８】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【０００９】
以上により、オーディオ信号増幅装置１００は、再生装置から出力されたオーディオ信号を増幅し、スピーカへ出力する。
【００１０】
図９は、オーディオ信号増幅装置１００の前面パネル３とドア部４００の構成を示す後方斜視図である。なお、図９に示す前面パネル３及びドア部４００は、矢印Ａ方向を前方とする。
ドア部４００は、押し出し成型により形成された断面がＬ字型のアルミ材であり、下部に後方に突出する凸部４０２を備える。ドア部４００は、下部に水平方向に貫通する孔４０１を備える。
【００１１】
前面パネル３は、押し出し成型により形成されたアルミ材であり、上部及び下部が後方に突出した薄いコの字形を形成し、２つのフランジ５及びストッパー部３０２を備える。ストッパー部３０２は、Ｌ字型であり、前面パネル３の後面の孔３０１の上部に固着される。２つのフランジ５は、それぞれシャフト５０１を備え、それぞれのシャフト５０１が互いに向い合った位置で孔３０１の左右部分に接着剤により固着される。
【００１２】
ドア部４００は、孔４０１にシャフト５０１が挿入されることによりシャフト５０１に軸支され、シャフト５０１を軸として自在に回動する。ドア部４００は、シャフト５０１を軸に回動することにより、前面パネル３の孔３０１を開閉する。
【００１３】
図１０は、オーディオ信号増幅装置１００の前面パネル３とドア部４００を示す図で、図１０（ａ）はドア部４００が前面パネル３の孔３０１を閉鎖した状態を示す断面図、図１０（ｂ）は、図１０（ａ）の状態からドア部４００を回動させた様子を示す断面図、図１０（ｃ）は、図１０（ｂ）の状態から孔３０１が開口した状態を示す断面図である。
ストッパー部３０２は、前面パネル３の孔３０１が開口した状態から孔３０１を閉鎖する方向にドア部４００を回動させた場合、前面パネル３の前面が垂直であって前面パネル３の前面とドア部４００の前面とが略同一面となったとき、ドア部４００の後面と当接する位置に配設される。ドア部４００は、前面パネル３の前面が垂直であって前面が前面パネル３の前面と略同一面となったとき、水平方向の重心の位置がシャフト５０１の軸から後方に距離Ｃの位置となるものとする。
【００１４】
図１０（ａ）に示すように、ドア部４００は、前面パネル３の前面が垂直であって前面が前面パネル３の前面と略同一面のとき、重心がシャフト５０１の軸から後方に距離Ｃの位置であることから、シャフト５０１を軸として後方に回動しようとする力が作用するが、上部がストッパー部３０２によって後方への回動が抑止されていることから、前面が前面パネル３の前面と略同一面となった回転角度でストッパー部３０２に保持された状態となる。これにより、ドア部４００は、その前面が前面パネル３の前面と略同一面となった回転角度で前面パネル３の孔３０１を閉じた状態を保持する。
【００１５】
ドア部４００が閉じた状態からドア部４００を開く場合は、前面パネル３の前方からドア部４００の孔４０１より下方となる部分を、図１０（ｂ）に示すように、ドア部４００の水平方向の重心の位置がシャフト５０１の軸と同一となる回転角度Ｄを超える角度まで、指先等で後方（矢印方向）に押圧する。ドア部４００は、孔４０１より下方となる部分が指先等で後方に押圧されることによって、シャフト５０１を軸として前方に回動し、水平方向の重心の位置がシャフト５０１の軸と同一となる回転角度Ｄを超える角度まで前方に回動すると、水平方向の重心の位置がシャフト５０１の軸より前方に移動する。ドア部４００は、水平方向の重心の位置がシャフト５０１より前方の位置となることによって、自ら前方に回転しようとする力が作用し、シャフト５０１を軸に自ら前方に回動する。そして、ドア部４００は、図１０（ｃ）に示すように、前面が前面パネル３の孔３０１の下端に当接する位置まで回動し、前面パネル３の孔３０１を開口する。
【００１６】
ドア部４００が開いた状態からドア部４００を閉じる場合は、図１０（ｂ）に示すように、ドア部４００の水平方向の重心の位置がシャフト５０１の軸と同一となる回転角度Ｄを超える角度までドア部４００を後方に回動させる。ドア部４００は、水平方向の重心の位置がシャフト５０１の軸と同一となる回転角度Ｄを超える角度まで後方に回動すると、水平方向の重心の位置がシャフト５０１の軸より後方に移動する。ドア部４００は、水平方向の重心の位置がシャフト５０１より後方の位置となることによって、自ら後方に回転しようとする力が作用し、シャフト５０１を軸に自ら後方に回動する。そして、ドア部４００は、図１０（ａ）に示すように、前面パネル３の後面がストッパー部３０２に当接する位置まで回動し、前面パネル３の孔３０１を閉じる。
【００１７】
以上により、オーディオ信号増幅装置１００は、ドア部４００が前面パネル３の前面と略同一面の状態では、ドア部４００の後方への回動をストッパー部３０２が抑止することによって、ドア部４００が孔３０１を閉じた状態が保持され、ドア部４００を前方に回動させると、ドア部４００の前方への回動を孔３０１の下端が抑止することによって、ドア部４００が孔３０１を開いた状態が保持される。
【００１８】
【非特許文献１】“オーディオ＆ビジュアル製品・ＡＶサラウンドアンプ”、[online]、[平成１８年２月２７日検索]、インターネット〈URL : http://denon.jp/products2/avca1xv.html 〉
【発明の開示】
【発明が解決しようとする課題】
【００１９】
従来のオーディオ信号増幅装置１００は、図１０（ｃ）に示すように、ドア部４００を開く場合、ドア部４００の自重によって生じた回転力により前方に回転し、前面が前面パネル３の孔３０１の下端に衝突することによって回転が停止される。このため、孔３０１の下端と当接したドア部４００の前面の部分には、孔３０１の下端に衝突したときの衝撃によって傷が生じてしまい、オーディオ信号増幅装置１００の外観が損なわれてしまう。
【００２０】
また、従来のオーディオ信号増幅装置１００は、図１０（ａ）に示すように、ドア部４００の前面が垂直となっている状態では、ドア部４００の重心が後方に移動していることから、ドア部４００がそれ以上後方に回動しないようにするためのストッパー部３０２を孔３０１の上端部分に備える必要があり、前面パネル３の製造コストが増加してしまう。
【００２１】
本発明は、ドア部を回動させることにより前面パネルに備える孔を開閉する電子機器において、ドア部を開く過程においてドア部の前面が孔の下端部分に衝突してしまい、ドア部の前面に傷が生じてしまうことを防止すると共に、前面パネルの製造コストを低減することができる電子機器を提供することを目的とする。
【課題を解決するための手段】
【００２２】
本願の第一の態様における発明は、電子機器において、電子回路と、箱形であり前記電子回路を内部に固定する筐体と、前記筐体の前面に固定され前後に貫通する孔を備える前面パネルと、前記前面パネルの後面であって前記孔の左右にそれぞれ固着され内側にそれぞれ凹部を備える第１のフランジ及び第２のフランジと、外側に水平方向に配設されたシャフトを備える第１の固定部材及び第２の固定部材を後面の左右部分にそれぞれ固着し当該第１の固定部材のシャフト及び当該第２の固定部材のシャフトが前記第１のフランジの凹部及び前記第２のフランジの凹部にそれぞれ軸支され回動することにより前記孔を開閉するドア部と、前記第１の固定部材４０のシャフトに挿入されるバネ部と、前記第２の固定部材のシャフトと前記第２のフランジの凹部との間に配設される弾性体とを備え、前記第１の固定部材４０のシャフトは、表面の円周方向に沿って直線の溝を形成する直線溝と、当該直線溝の後端に連通し内側方向に傾斜した溝を形成する傾斜溝とを備え、前記バネ部は、一端が前記第１のフランジに固着され、他端に前記直線溝と前記傾斜溝との間を自在にスライドし前記ドア部が前記孔を閉鎖したとき前記直線溝の側壁を内側に押圧し、前記ドア部が前記孔を開口したとき前記傾斜溝の側壁を内側に押圧する突起部を備えることを特徴とする。
【発明の効果】
【００２３】
本発明によれば、ドア部を回動させることにより前面パネルに備える孔を開閉する電子機器において、ドア部を開く過程においてドア部の前面が孔の下端部分に衝突してしまい、ドア部の前面に傷が生じてしまうことを防止すると共に、前面パネルの製造コストを低減することができる電子機器を提供することができる。
【発明を実施するための最良の形態】
【００２４】
本発明の実施の形態を図面を参照して説明する。なお、従来技術で示した構成要素と同一の部分については同符号を用いる。
【００２５】
本実施例においては、電子機器としてオーディオ信号増幅装置を例に挙げ説明する。
図１は、本実施例のオーディオ信号増幅装置を示す斜視図である。
オーディオ信号増幅装置１は、筐体２、前面パネル３、ドア部４、増幅部７、操作部８、図示しない入力部及び出力部を備える。
【００２６】
筐体２は、箱形であり、内部に増幅部７を備える。前面パネル３は、筐体２の前面に固定される。前面パネル３は、前後に貫通する孔３０１を備える。操作部８は、筐体２に固定され、孔３０１の後方に配置される。ドア部４は、前面パネル３の後面に固定された後述するフランジにより軸支され、回動することによって、孔３０１を開閉する。
【００２７】
操作部８は、ドア部４を回動させ、孔３０１を開口することにより露出する。操作部８は、複数の操作ボタン８０１及びボリュウム部８０２を備える。
【００２８】
オーディオ信号増幅装置１は、図示しない導電ケーブルにより再生装置及びスピーカと接続されている。
【００２９】
再生装置は、光ディスクに記録されているオーディオ信号を再生する。オーディオ信号増幅装置１の入力部は、再生装置から出力されたオーディオ信号を入力し増幅部７に出力する。
【００３０】
ボリュウム部８０１は、増幅部７によるオーディオ信号の信号レベルの増幅度を増減させる。増幅部７は、ボリュウム部８０１の指示に応じてオーディオ信号を増幅し、出力部に出力する。出力部は、増幅部７から出力されたオーディオ信号をスピーカへ出力する。
【００３１】
以上により、オーディオ信号増幅装置１は、再生装置から出力されたオーディオ信号を増幅し、スピーカへ出力する。
【００３２】
図２は、オーディオ信号増幅装置１の前面パネル３とドア部４の構成を示す後方斜視図である。なお、図２に示す前面パネル３及びドア部４は、矢印Ａ方向を前方とする。
オーディオ信号増幅装置１は、バネ部９、弾性体１０、第１の固定部材４０、第２の固定部材４１、第１のフランジ５０及び第２のフランジ６０を備える。
【００３３】
前面パネル３は、押し出し成型により形成されたアルミ材であり、上部及び下部が後方に突出した薄いコの字形を形成する。第１のフランジ５０及び第２のフランジ６０は、それぞれ側面に凹部５１１及び凹部６１１を備え、それぞれの凹部が互いに向い合った位置で孔３０１の左右部分に接着剤により固着される。弾性体１０は、薄い円柱型を成すゴム部材であり、第２のフランジ６０の凹部６１１の底面に接着剤により固着される。
【００３４】
ドア部４は、左右の幅及び高さが孔３０１より僅かに小さい直方型を形成する。第１の固定部材４０及び第２の固定部材４１は、それぞれ水平方向に配設されたシャフト４０６及びシャフト４１１を備え、それぞれのシャフトが互いに外側に向いた位置でドア部４の後面の左右端部分に接着剤により固着される。バネ部９は、圧縮コイルバネであり、第１の固定部材４０のシャフト４０６に挿入される。
【００３５】
ドア部４は、第１のフランジ５０の凹部５１１に第１の固定部材４０のシャフト４０６が挿入されると共に、第２のフランジ６０の凹部６１１に第２の固定部材４１のシャフト４１１が挿入されることにより、第１のフランジ５０及び第２のフランジ６０に軸支され、シャフト４０６及びシャフト４１１を軸として自在に回動する。ドア部４は、シャフト４０６及びシャフト４１１を軸に回動することにより、前面パネル３の孔３０１を開閉する。
ドア部４は、表面が垂直となった状態での重心の位置がシャフト４０６及びシャフト４１１より後方の位置となるものとする。
【００３６】
図３は、第１の固定部材４０を示す図で、図３（ａ）は上面図、図３（ｂ）は正面図である。
第１の固定部材４０は、シャフト４０６の表面に円周方向に沿って直線状の溝を形成する直線溝４０７と、直線溝４０７の後端部分に連通し、図２に示すようにドア部４に固着された状態で、前方から後方に亘って内側に傾斜した溝を形成する傾斜溝４０８とを備える。
【００３７】
図４は、バネ部９を示す図で、図４（ａ）は正面図、図４（ｂ）は側面図である。
バネ部９は、一端に内周方向に突出した突起部９０１を備える。突起部９０１の外径は、図３（ａ）及び図３（ｂ）に示す第１の固定部材４０の直線溝４０７及び傾斜溝４０８の幅より僅かに小さい。バネ部９は、図２に示すように、第１の固定部材４０のシャフト４０６に挿入された状態で、突起部９０１が直線溝４０７又は傾斜溝４０８に挿入された状態となる。
【００３８】
図５は、オーディオ信号増幅装置１のドア部４が前面パネル３の孔３０１を閉鎖した状態を示す図で、図５（ａ）は正面図、図５（ｂ）は図５（ａ）の断面図、図５（ｃ）は図５（ａ）に示すＡ部の拡大図である。
バネ部９は、ドア部４の表面が垂直であって前面が前面パネル３の前面と略同一面となった状態のとき、突起部９０１がシャフト４０６の直線溝４０７に挿入された状態となるように配設された状態で突起部９０１を備える一端に対して反対側となる他端部分（図５（ｃ）に示す右端部分）が第１のフランジ５０に接着剤により固着される。
突起部９０１は、直線溝４０７に挿入された状態の場合、バネ部９の弾性力により、直線溝４０７の側壁を内側方向（図５（ａ）及び図５（ｃ）に示す左方向）に押圧する。ドア部４は、突起部９０１によって直線溝４０７の側壁が内側方向に押圧されることにより、左方向に移動しようとする力が作用する。第２の固定部材４１は、ドア部４が左方向に移動しようとする力により、第２のフランジ６０に軸支されたシャフト４１１の先端部分が弾性体１０に押圧された状態となる。シャフト４１１は、先端部分が弾性体１０に押圧されることにより、弾性体１０とシャフト４１１の先端部分との間に摩擦力が生じる。
【００３９】
ドア部４は、図５（ｂ）に示すように、表面が垂直となった状態での重心の位置がシャフト４０６及びシャフト４１１より後方の位置となることから、後方に回動しようとする力が作用するが、シャフト４１１の先端部分が弾性体１０に押圧され、弾性体１０とシャフト４１１の間に摩擦力が生じることにより、表面が垂直であって前面が前面パネル３の前面と略同一面となった回転角度で前面パネル３の孔３０１を閉じた状態を保持する。
【００４０】
図６は、オーディオ信号増幅装置１の前面パネル３とドア部４を示す図で、図６（ａ）は、図５（ａ）の状態からドア部４を前方に回動させた様子を示す正面図、図６（ｂ）は図６（ａ）の断面図、図６（ｃ）は図６（ａ）に示すＡ部の拡大図である。
【００４１】
ドア部４が閉じた状態からドア部４を開く場合は、図６（ｂ）に示すように、前面パネル３の前方からドア部４の下方部分を、指先等で後方に押圧する。
ドア部４の下方部分を、指先等で後方に押圧し、ドア部４がシャフト４０６及びシャフト４１１を軸として前方に回動すると、それに伴ってシャフト４０６も右方向から見て反時計回り方向に回動することにより、突起部９０１が直線溝４０７の位置から傾斜溝４０８に挿入された位置にスライドする。突起部９０１は、傾斜溝４０８にスライドすると、バネ部９の弾性力の作用により、傾斜溝４０８の側壁を内側方向（図６（ａ）及び図６（ｃ）に示す左方向）に押圧し、傾斜溝４０８に沿って内側方向にスライドしようとする力が作用することから、ドア部４を前方に回動させようとする力が作用する。このとき、ドア部４は、傾斜溝４０８が突起部９０１によって内側方向に押圧されることにより、左方向に移動しようとする力が生じるため、第２の固定部材４１のシャフト４１１の先端部分が弾性体１０に押圧され、弾性体１０とシャフト４１１の先端部分との間に摩擦力が生じた状態となる。ドア部４は、突起部９０１が傾斜溝４０８に沿って内側方向にスライドしようとする力とシャフト４１１の先端部分に生じる摩擦力が同時に作用することにより、シャフト４０６及びシャフト４１１を軸としてゆっくりとした速さで自ら前方に回動する。
【００４２】
図７は、オーディオ信号増幅装置１の前面パネル３とドア部４を示す図で、図７（ａ）は、図６（ａ）の状態からドア部４が自ら前方に回動して孔３０１が開口した様子を示す正面図、図７（ｂ）は図７（ａ）の断面図、図７（ｃ）は図７（ａ）に示すＡ部の拡大図である。
シャフト４０６の傾斜溝４０８は、ドア部４が前方に回動して表面が水平となった状態のとき、予め、突起部９０１が傾斜溝４０８の最も内側の一端の位置となるように形成されているものとする。
図６（ａ）〜図６（ｃ）に示す状態からドア部４が更に前方に回動し、突起部９０１が傾斜溝４０８の内側の一端の位置までスライドすると、突起部９０１が傾斜溝４０８の内側の一端の側壁に当接し、ドア部４がそれ以上前方へ回動しないようドア部４の回動が抑止される。このように、ドア部４が前方に回動して表面が水平となった状態のときに、突起部９０１が傾斜溝４０８の最も内側の一端の側壁に当接するように予め傾斜溝４０８を形成しておくことにより、ドア部４が開いた位置でドア部４の前方への回動が停止するので、ドア部４が更に前方に回動してドア部４の表面が孔３０１の上端に当接してしまうことがない。
【００４３】
ドア部４が開いた状態からドア部４を閉じる場合は、図５（ａ）〜（ｃ）に示すように、ドア部４の表面が垂直となる回転角度までドア部４を後方に回動させる。ドア部４が後方に回動されることにより、シャフト４０６も右側方向から見て時計回り方向に回動し、それに伴って突起部９０１が傾斜溝４０８に沿って外側方向にスライドする。そして、ドア部４の表面が垂直となるまでドア部４が後方に回動されると、突起部９０１が傾斜溝４０８の位置から直線溝４０７の位置までスライドする。このとき、前述したように、バネ部９の弾性力により突起部９０１が直線溝４０７の側壁を内側方向（図５（ａ）及び図５（ｃ）に示す左方向）に押圧する力が作用することによってシャフト４１１の先端部分が弾性体１０に押圧され、弾性体１０とシャフト４１１の間に摩擦力が生じることにより、表面が垂直であって前面が前面パネル３の前面と略同一面となった回転角度で前面パネル３の孔３０１を閉じた状態を保持する。
【００４４】
以上の構成により、本実施例のオーディオ信号増幅装置１は、ドア部４の表面が垂直であって、ドア部４が前面パネル３の孔３０１を閉鎖した状態のとき、突起部９０１がシャフト４０６の直線溝４０７の位置となった状態でシャフト４１１の先端が弾性体１０に押圧され、弾性体１０とシャフト４１１の先端部分との間に摩擦力が生じることにより、表面が垂直であって前面が前面パネル３の前面と略同一面となった回転角度の状態を保持する。このことにより、前述した従来のオーディオ信号増幅装置のように、ドア部がそれ以上後方に回動しないようにするためのストッパー部を孔の上端部分に備える必要がないため、前面パネルの製造コストを低減することができる。
【００４５】
また、本実施例のオーディオ信号増幅装置１は、ドア部４が閉じた状態からドア部４を開く場合、ドア部４の下方部分を、指先等で後方に押圧することによって、突起部９０１が傾斜溝４０８に挿入された位置にスライドし、ドア部４を自ら前方に回動させようとする力が作用し、また、このとき、シャフト４１１の先端部分に生じる摩擦力が同時に作用することにより、自らシャフト４０６及びシャフト４１１を軸としてゆっくりとした速さで前方に回動する。そして、ドア部４が前方に回動して表面が水平となった状態のときに、突起部９０１が傾斜溝４０８の最も内側の一端の位置となってドア部４の前方への回動が停止する。このことにより、前述した従来のオーディオ信号増幅装置のように、ドア部の自重によって生じた回転力により前方に回転し、前面が前面パネルの孔の下端に衝突することがないので、ドア部が前方に回動して孔の下端に衝突したときの衝撃によってドア部の表面に傷が生じてしまい、オーディオ信号増幅装置の外観が損なわれてしまうことを防止することができる。
【図面の簡単な説明】
【００４６】
【図１】本実施例のオーディオ信号増幅装置を示す斜視図。
【図２】オーディオ信号増幅装置１の前面パネル３とドア部４の構成を示す後方斜視図。
【図３】第１の固定部材４０を示す図で、図３（ａ）は上面図、図３（ｂ）は正面図。
【図４】バネ部９を示す図で、図３（ａ）は正面図、図３（ｂ）は側面図。
【図５】オーディオ信号増幅装置１のドア部４が前面パネル３の孔３０１を閉鎖した状態を示す図で、図５（ａ）は正面図、図５（ｂ）は図５（ａ）の断面図、図５（ｃ）は図５（ａ）に示すＡ部の拡大図。
【図６】オーディオ信号増幅装置１の前面パネル３とドア部４を示す図で、図６（ａ）は、図５（ａ）の状態からドア部４を前方に回動させた様子を示す正面図、図６（ｂ）は図６（ａ）の断面図、図６（ｃ）は図６（ａ）に示すＡ部の拡大図。
【図７】オーディオ信号増幅装置１の前面パネル３とドア部４を示す図で、図７（ａ）は、図６（ａ）の状態からドア部４が自ら前方に回動して孔３０１が開口した様子を示す正面図、図７（ｂ）は図７（ａ）の断面図、図７（ｃ）は図７（ａ）に示すＡ部の拡大図。
【図８】従来のオーディオ信号増幅装置の一例を示す斜視図。
【図９】オーディオ信号増幅装置１００の前面パネル３とドア部４００の構成を示す後方斜視図。
【図１０】オーディオ信号増幅装置１００の前面パネル３とドア部４００を示す図で、図１０（ａ）はドア部４００が前面パネル３の孔３０１を閉鎖した状態を示す断面図、図１０（ｂ）は、図１０（ａ）の状態からドア部４００を回動させた様子を示す断面図、図１０（ｃ）は、図１０（ｂ）の状態から孔３０１が開口した状態を示す断面図。
【符号の説明】
【００４７】
１  オーディオ信号増幅装置、２  筐体、３  前面パネル、
４  ドア部、４０１  孔、４０２  凸部、
４０  第１の固定部材、４０６  シャフト、４０７  直線溝、４０８  傾斜溝、
４１  第２の固定部材、４１１  シャフト、
４０６  シャフト、４０７  直線溝、４０８  傾斜溝、
５  フランジ、５０１  シャフト、
５０  第１のフランジ、５１１  凹部、６０  第２のフランジ、６１１  凹部、
７  増幅部、８  操作部、８０１  操作ボタン、８０２  ボリュウム部、
１００  オーディオ信号増幅装置、４００  ドア部
【図１】
2008222186.tif 000003
【図２】
2008222186.tif 000004
【図３】
2008222186.tif 000005
【図４】
2008222186.tif 000006
【図５】
2008222186.tif 000007
【図６】
2008222186.tif 000008
【図７】
2008222186.tif 000009
【図８】
2008222186.tif 000010
【図９】
2008222186.tif 000011
【図１０】
2008222186.tif 000012